【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
記録材に光を照射し該記録材の表面から反射する反射光を読み取ることにより記録材表面の映像を得る映像読取手段を含み、該映像読取手段によって得られた前記記録材表面の映像を用いて該記録材の属性を判定する反射型判定手段と、
前記反射型判定手段において用いられる照射光よりも長い波長を有する光を前記記録材に照射することにより、該記録材を透過して得られる透過光を用いて、前記記録材の前記反射型判定手段とは異なる属性を判定する透過型判定手段と
を備え、前記反射型判定手段により得られた属性と、前記透過型判定手段により得られた属性とに基づいて前記記録材の種類を判別することを特徴とする記録材判別装置。
【請求項２】
記録材に光を照射し該記録材の表面から反射する反射光を読み取ることにより記録材表面の映像を得る映像読取手段を含み、該映像読取手段によって得られた前記記録材表面の映像を用いて該記録材の属性を判定する反射型判定手段と、
前記反射型判定手段において用いられる照射光よりも強い光量の透過用照射光を前記記録材に照射することにより、該記録紙を透過して得られる透過光であって、前記透過用照射光の光量を調整することにより前記反射光の光量と該透過光の光量との差が所定の範囲内となるような透過用照射光を用いて、前記記録材の前記反射型判定手段とは異なる属性を判定する透過型判定手段と
を備え、前記反射型判定手段により得られた属性と、前記透過型判定手段により得られた属性とに基づいて前記記録材の種類を判別することを特徴とする記録材判別装置。
【請求項３】
前記透過用照射光は、前記反射型判定手段において用いられる照射光よりも指向性が強い光源を使用して照射されることを特徴とする請求項２に記載の記録材判別装置。
【請求項４】
記録材の表面から反射する反射光を得るため該記録材に光を照射する反射型照射手段と、前記記録材からの反射光または透過光を受光して映像として読み取り、および光量を検出する読み取り手段と、前記反射型照射手段に前記記録材へ光を照射させ、前記読み取り手段に前記反射型照射手段により得られた反射光を映像として読み取らせ、該映像に基づいて前記記録材の種類を判別する制御手段とを備えた記録材判別装置において、
前記記録材を透過する透過光を得るため前記記録材に前記反射型照射手段で照射される反射用照射光の波長よりも長い波長を有する透過用照射光を照射する透過型照射手段を備え、
前記制御手段は、前記反射型照射手段と前記透過型照射手段とに前記記録材へ光を照射させ、前記読み取り手段に前記反射型照射手段により得られた反射光を映像として読み取らせ、および前記透過型照射手段により得られた透過光の光量を検出させて、該映像と該透過光の光量とに基づいて前記記録材の種類を判別することを特徴とする記録材判別装置。
【請求項５】
記録材の表面から反射する反射光を得るため該記録材に光を照射する反射型照射手段と、前記記録材からの反射光または透過光を受光して映像として読み取り、および光量を検出する読み取り手段と、前記反射型照射手段に前記記録材へ光を照射させ、前記読み取り手段に前記反射型照射手段により得られた反射光を映像として読み取らせ、該映像に基づいて前記記録材の種類を判別する制御手段とを備えた記録材判別装置において、
前記記録材を透過する透過光を得るため前記記録材に前記反射型照射手段で照射される反射用照射光よりも強い光量の透過用照射光であって、該透過用照射光の光量を調整することにより前記反射光の光量と該透過光の光量との差が所定の範囲内となる所定の光を照射する透過型照射手段を備え、
前記制御手段は、前記反射型照射手段と前記透過型照射手段とに前記記録材へ光を照射させ、前記読み取り手段に前記反射型照射手段により得られた反射光を映像として読み取らせ、および前記透過型照射手段により得られた透過光の光量を検出させて、該映像と該透過光の光量とに基づいて前記記録材の種類を判別することを特徴とする記録材判別装置。
【請求項６】
前記透過型照射手段の前記透過用照射光は、前記反射型照射手段において用いられる前記反射用照射光よりも指向性が強い光源を使用することを特徴とする請求項５に記載の記録材判別装置。
【請求項７】
潜像を担持する潜像担持体と、該潜像担持体に現像剤を付与することにより前記潜像を現像剤像として可視化する現像手段と、搬送される記録材に該現像手段による該現像剤像を転写する転写手段と、該転写手段によって前記現像剤像を転写された前記記録材を加熱および加圧することにより前記現像剤像を記録材に定着させる定着手段と、記録材に光を照射し該記録材の表面から反射する反射光を読み取ることにより記録材表面の映像を得る映像読取手段を含み、該映像読取手段によって得られた前記記録材表面の映像を用いて該記録材の属性を判定する反射型判定手段とを備え、該反射型判定手段により得られた属性に基づいて前記記録材の種類を判別し、当該判別された種類に対応する前記定着手段の定着処理条件により前記現像剤像を記録材に定着させる画像形成装置において、
前記反射型判定手段において用いられる反射用照射光よりも長い波長を有する透過用照射光を前記記録材に照射することにより、該記録材を透過して得られる透過光を用いて、前記記録材の前記反射型判定手段とは異なる属性を判定する透過型判定手段を備え、
前記定着手段は、前記反射型判定手段により得られた属性に加えて、前記透過型判定手段により得られた属性に基づいて前記記録材の種類を判別し、当該判別された種類に対応する前記定着処理条件により前記現像剤像を記録材に定着させることを特徴とする画像形成装置。
【請求項８】
潜像を担持する潜像担持体と、該潜像担持体に現像剤を付与することにより前記潜像を現像剤像として可視化する現像手段と、搬送される記録材に該現像手段による該現像剤像を転写する転写手段と、該転写手段によって前記現像剤像を転写された前記記録材を加熱および加圧することにより前記現像剤像を記録材に定着させる定着手段と、記録材に光を照射し該記録材の表面から反射する反射光を読み取ることにより記録材表面の映像を得る映像読取手段を含み、該映像読取手段によって得られた前記記録材表面の映像を用いて該記録材の属性を判定する反射型判定手段とを備え、該反射型判定手段により得られた属性に基づいて前記記録材の種類を判別し、当該判別された種類に対応する前記定着手段の定着処理条件により前記現像剤像を記録材に定着させる画像形成装置において、
前記反射型判定手段において用いられる反射用照射光よりも強い光量の透過用照射光を前記記録材に照射することにより、該記録紙を透過して得られる透過光であって、該透過用照射光の光量を調整することにより前記反射光の光量と該透過光の光量との差が所定の範囲内となる透過光を用いて、前記記録材の前記反射型判定手段とは異なる属性を判定する透過型判定手段を備え、
前記定着手段は、前記反射型判定手段により得られた属性に加えて、前記透過型判定手段により得られた属性に基づいて前記記録材の種類を判別し、当該判別された種類に対応する前記定着処理条件により前記現像剤像を記録材に定着させることを特徴とする画像形成装置。
【請求項９】
前記透過用照射光は、前記反射型判定手段において用いられる前記反射用照射光よりも指向性が強い光源を使用することを特徴とする請求項８に記載の画像形成装置。
【請求項１０】
潜像を担持する潜像担持体と、該潜像担持体に現像剤を付与する現像手段と、記録材に該現像剤像を転写する転写手段と、加熱および加圧することにより前記現像剤像を記録材に定着させる定着手段と、記録材の表面から反射する反射光を得るため該記録材に光を照射する反射型照射手段と、前記現像手段で前記潜像を現像剤像として可視化させ、前記転写手段で搬送させた前記記録材に前記可視化された像を転写させ、前記記録材からの反射光または透過光を受光して映像として読み取り、および光量を検出する読み取り手段と、前記反射型照射手段に前記記録材へ光を照射させ、前記読み取り手段に前記反射型照射手段により得られた反射光を映像として読み取らせ、該映像に基づいて前記記録材の種類を判別し、当該判別された種類に対応する前記定着手段の定着処理条件において前記定着手段で転写された前記記録材を定着させ、当該定着された記録材を排出する制御手段を備えた画像形成装置において、
前記記録材を透過する透過光を得るため前記記録材に前記反射型照射手段で照射される反射用照射光よりも長い波長を有する透過用照射光を照射する透過型照射手段を備え、
前記制御手段は、前記転写手段で転写させる前に、前記反射型照射手段と前記透過型照射手段とに前記記録材へ光を照射させ、前記読み取り手段に前記反射型照射手段により得られた反射光を映像として読み取らせ、および前記透過型照射手段により得られた透過光の光量を検出させて、該映像と該透過光の光量とに基づいて前記記録材の種類を判別し、当該判別された種類に対応する前記定着処理条件により前記現像剤像を記録材に定着させることを特徴とする画像形成装置。
【請求項１１】
潜像を担持する潜像担持体と、該潜像担持体に現像剤を付与する現像手段と、記録材に該現像剤像を転写する転写手段と、加熱および加圧することにより前記現像剤像を記録材に定着させる定着手段と、記録材の表面から反射する反射光を得るため該記録材に光を照射する反射型照射手段と、前記現像手段で前記潜像を現像剤像として可視化させ、前記転写手段で搬送させた前記記録材に前記可視化された像を転写させ、前記記録材からの反射光または透過光を受光して映像として読み取り、および光量を検出する読み取り手段と、前記反射型照射手段に前記記録材へ光を照射させ、前記読み取り手段に前記反射型照射手段により得られた反射光を映像として読み取らせ、該映像に基づいて前記記録材の種類を判別し、当該判別された種類に対応する前記定着手段の定着処理条件において前記定着手段で転写された前記記録材を定着させ、当該定着された記録材を排出する制御手段を備えた画像形成装置において、
前記記録材を透過する透過光を得るため前記記録材に前記反射型照射手段で照射される反射用照射光よりも強い光量の透過用照射光であって、該透過用照射光の光量を調整することにより前記反射光の光量と該透過光の光量との差が所定の範囲内となる所定の光を照射する透過型照射手段を備え、
前記制御手段は、前記転写手段で転写させる前に、前記反射型照射手段と前記透過型照射手段とに前記記録材へ光を照射させ、前記読み取り手段に前記反射型照射手段により得られた反射光を映像として読み取らせ、および前記透過型照射手段により得られた透過光の光量を検出させて、該映像と該透過光の光量とに基づいて前記記録材の種類を判別し、当該判別された種類に対応する前記定着処理条件により前記現像剤像を記録材に定着させることを特徴とする画像形成装置。
【請求項１２】
前記透過型照射手段の前記透過用照射光は、前記反射型照射手段において用いられる前記反射用照射光よりも指向性が強い光源を使用することを特徴とする請求項１１に記載の画像形成装置。
【手続補正２】
【補正対象書類名】明細書
【補正対象項目名】００１１
【補正方法】変更
【補正の内容】
【００１１】
このような目的を達成するために、請求項１の発明は、記録材判別装置であって、記録材に光を照射し記録材の表面から反射する反射光を読み取ることにより記録材表面の映像を得る映像読取手段を含み、映像読取手段によって得られた記録材表面の映像を用いて記録材の属性を判定する反射型判定手段と、反射型判定手段において用いられる照射光よりも長い波長を有する光を記録材に照射することにより、記録材を透過して得られる透過光を用いて、記録材の反射型判定手段とは異なる属性を判定する透過型判定手段とを備え、反射型判定手段により得られた属性と、透過型判定手段により得られた属性とに基づいて記録材の種類を判別することを特徴とする。
【手続補正３】
【補正対象書類名】明細書
【補正対象項目名】００１２
【補正方法】変更
【補正の内容】
【００１２】
請求項２に記載の発明は、記録材判別装置であって、記録材に光を照射し記録材の表面から反射する反射光を読み取ることにより記録材表面の映像を得る映像読取手段を含み、映像読取手段によって得られた記録材表面の映像を用いて記録材の属性を判定する反射型判定手段と、反射型判定手段において用いられる照射光よりも強い光量の透過用照射光を記録材に照射することにより、記録紙を透過して得られる透過光であって、透過用照射光の光量を調整することにより反射光の光量と透過光の光量との差が所定の範囲内となるような透過用照射光を用いて、記録材の反射型判定手段とは異なる属性を判定する透過型判定手段とを備え、反射型判定手段により得られた属性と、透過型判定手段により得られた属性とに基づいて記録材の種類を判別することを特徴とする。
【手続補正４】
【補正対象書類名】明細書
【補正対象項目名】００１３
【補正方法】変更
【補正の内容】
【００１３】
請求項４に記載の発明は、記録材判別装置であって、記録材の表面から反射する反射光を得るため記録材に光を照射する反射型照射手段と、記録材からの反射光または透過光を受光して映像として読み取り、および光量を検出する読み取り手段と、反射型照射手段に記録材へ光を照射させ、読み取り手段に反射型照射手段により得られた反射光を映像として読み取らせ、映像に基づいて記録材の種類を判別する制御手段とを備えた記録材判別装置において、記録材を透過する透過光を得るため記録材に反射型照射手段で照射される反射用照射光の波長よりも長い波長を有する透過用照射光を照射する透過型照射手段を備え、制御手段は、反射型照射手段と透過型照射手段とに記録材へ光を照射させ、読み取り手段に反射型照射手段により得られた反射光を映像として読み取らせ、および透過型照射手段により得られた透過光の光量を検出させて、映像と透過光の光量とに基づいて記録材の種類を判別することを特徴とする。
【手続補正５】
【補正対象書類名】明細書
【補正対象項目名】００１４
【補正方法】変更
【補正の内容】
【００１４】
請求項５に記載の発明は、記録材判別装置であって、記録材の表面から反射する反射光を得るため記録材に光を照射する反射型照射手段と、記録材からの反射光または透過光を受光して映像として読み取り、および光量を検出する読み取り手段と、反射型照射手段に記録材へ光を照射させ、読み取り手段に反射型照射手段により得られた反射光を映像として読み取らせ、映像に基づいて記録材の種類を判別する制御手段とを備えた記録材判別装置において、記録材を透過する透過光を得るため記録材に反射型照射手段で照射される反射用照射光よりも強い光量の透過用照射光であって、透過用照射光の光量を調整することにより反射光の光量と透過光の光量との差が所定の範囲内となる所定の光を照射する透過型照射手段を備え、制御手段は、反射型照射手段と透過型照射手段とに記録材へ光を照射させ、読み取り手段に反射型照射手段により得られた反射光を映像として読み取らせ、および透過型照射手段により得られた透過光の光量を検出させて、映像と透過光の光量とに基づいて記録材の種類を判別することを特徴とする。
【手続補正６】
【補正対象書類名】明細書
【補正対象項目名】００１５
【補正方法】変更
【補正の内容】
【００１５】
請求項７に記載の発明は、潜像を担持する潜像担持体と、潜像担持体に現像剤を付与することにより潜像を現像剤像として可視化する現像手段と、搬送される記録材に該現像手段による現像剤像を転写する転写手段と、転写手段によって現像剤像を転写された記録材を加熱および加圧することにより現像剤像を記録材に定着させる定着手段と、記録材に光を照射し記録材の表面から反射する反射光を読み取ることにより記録材表面の映像を得る映像読取手段を含み、映像読取手段によって得られた記録材表面の映像を用いて記録材の属性を判定する反射型判定手段とを備え、反射型判定手段により得られた属性に基づいて記録材の種類を判別し、判別された種類に対応する定着手段の定着処理条件により現像剤像を記録材に定着させる画像形成装置において、反射型判定手段において用いられる反射用照射光よりも長い波長を有する透過用照射光を記録材に照射することにより、記録材を透過して得られる透過光を用いて、記録材の反射型判定手段とは異なる属性を判定する透過型判定手段を備え、定着手段は、反射型判定手段により得られた属性に加えて、透過型判定手段により得られた属性に基づいて記録材の種類を判別し、判別された種類に対応する定着処理条件により現像剤像を記録材に定着させることを特徴とする。
【手続補正７】
【補正対象書類名】明細書
【補正対象項目名】００１６
【補正方法】変更
【補正の内容】
【００１６】
請求項８に記載の発明は、潜像を担持する潜像担持体と、潜像担持体に現像剤を付与することにより潜像を現像剤像として可視化する現像手段と、搬送される記録材に現像手段による現像剤像を転写する転写手段と、転写手段によって現像剤像を転写された記録材を加熱および加圧することにより現像剤像を記録材に定着させる定着手段と、記録材に光を照射し記録材の表面から反射する反射光を読み取ることにより記録材表面の映像を得る映像読取手段を含み、映像読取手段によって得られた記録材表面の映像を用いて記録材の属性を判定する反射型判定手段とを備え、反射型判定手段により得られた属性に基づいて記録材の種類を判別し、判別された種類に対応する定着手段の定着処理条件により現像剤像を記録材に定着させる画像形成装置において、反射型判定手段において用いられる反射用照射光よりも強い光量の透過用照射光を記録材に照射することにより、記録紙を透過して得られる透過光であって、透過用照射光の光量を調整することにより反射光の光量と透過光の光量との差が所定の範囲内となる透過光を用いて、記録材の反射型判定手段とは異なる属性を判定する透過型判定手段を備え、定着手段は、反射型判定手段により得られた属性に加えて、透過型判定手段により得られた属性に基づいて記録材の種類を判別し、判別された種類に対応する定着処理条件により現像剤像を記録材に定着させることを特徴とする。
【手続補正８】
【補正対象書類名】明細書
【補正対象項目名】００１７
【補正方法】変更
【補正の内容】
【００１７】
請求項１０に記載の発明は、潜像を担持する潜像担持体と、潜像担持体に現像剤を付与する現像手段と、記録材に該現像剤像を転写する転写手段と、加熱および加圧することにより現像剤像を記録材に定着させる定着手段と、記録材の表面から反射する反射光を得るため記録材に光を照射する反射型照射手段と、現像手段で潜像を現像剤像として可視化させ、転写手段で搬送させた記録材に可視化された像を転写させ、記録材からの反射光または透過光を受光して映像として読み取り、および光量を検出する読み取り手段と、反射型照射手段に記録材へ光を照射させ、読み取り手段に反射型照射手段により得られた反射光を映像として読み取らせ、映像に基づいて記録材の種類を判別し、判別された種類に対応する定着手段の定着処理条件において定着手段で転写された記録材を定着させ、定着された記録材を排出する制御手段を備えた画像形成装置において、記録材を透過する透過光を得るため記録材に反射型照射手段で照射される反射用照射光よりも長い波長を有する透過用照射光を照射する透過型照射手段を備え、制御手段は、転写手段で転写させる前に、反射型照射手段と透過型照射手段とに記録材へ光を照射させ、読み取り手段に反射型照射手段により得られた反射光を映像として読み取らせ、および透過型照射手段により得られた透過光の光量を検出させて、映像と透過光の光量とに基づいて記録材の種類を判別し、判別された種類に対応する定着処理条件により現像剤像を記録材に定着させることを特徴とする。
【手続補正９】
【補正対象書類名】明細書
【補正対象項目名】００１８
【補正方法】変更
【補正の内容】
【００１８】
請求項１１に記載の発明は、潜像を担持する潜像担持体と、潜像担持体に現像剤を付与する現像手段と、記録材に該現像剤像を転写する転写手段と、加熱および加圧することにより現像剤像を記録材に定着させる定着手段と、記録材の表面から反射する反射光を得るため記録材に光を照射する反射型照射手段と、現像手段で潜像を現像剤像として可視化させ、転写手段で搬送させた記録材に前記可視化された像を転写させ、記録材からの反射光または透過光を受光して映像として読み取り、および光量を検出する読み取り手段と、反射型照射手段に記録材へ光を照射させ、読み取り手段に反射型照射手段により得られた反射光を映像として読み取らせ、映像に基づいて記録材の種類を判別し、判別された種類に対応する定着手段の定着処理条件において定着手段で転写された記録材を定着させ、定着された記録材を排出する制御手段を備えた画像形成装置において、記録材を透過する透過光を得るため記録材に反射型照射手段で照射される反射用照射光よりも強い光量の透過用照射光であって、透過用照射光の光量を調整することにより反射光の光量と透過光の光量との差が所定の範囲内となる所定の光を照射する透過型照射手段を備え、制御手段は、転写手段で転写させる前に、反射型照射手段と透過型照射手段とに記録材へ光を照射させ、読み取り手段に反射型照射手段により得られた反射光を映像として読み取らせ、および透過型照射手段により得られた透過光の光量を検出させて、映像と透過光の光量とに基づいて記録材の種類を判別し、判別された種類に対応する定着処理条件により現像剤像を記録材に定着させることを特徴とする。